(57)【要約】【課題】名刺交換して取得した名刺の印刷内容が変更されても、その変更された名刺を印刷することができ、最新の名刺を保管できるようにする。【解決手段】印刷管理サーバ装置１０との交信により、登録者は、名刺の印刷内容を示す印刷データを登録用データベース１５に登録する。印刷データに変更があったときには、印刷管理サーバ装置１０との交信により、登録用データベース１５に記憶した印刷データを変更する。登録者と名刺交換した要求者は、登録者の名刺に印刷された識別情報を印刷管理サーバ装置１０に送信することにより、最新の印刷内容を示す画像データが印刷管理サーバ装置１０から与えられる。【選択図】  図１
2004276534.tif 000002
【特許請求の範囲】
【請求項１】
登録者の使用する端末から印刷対象への印刷内容を示す印刷データを受信し、該印刷データを識別する印刷データ識別情報を設定し、該印刷データ識別情報及び該印刷データを対応させて保持する印刷データ保持手段と、
前記印刷データ保持手段に保持された印刷データの変更部分を示す変更データを前記登録者の使用する端末から受信するごとに、該変更データに基づき該印刷データ保持手段で保持している印刷データを変更すると共に該印刷データ保持手段で保持している印刷データ識別情報を変更する変更手段と、
前記印刷データ識別情報の変更履歴を記録する履歴記録手段と、
前記印刷データを要求する要求データが前記登録者の使用する端末から与えられたときに、前記印刷データ保持手段でその時点で保持する前記印刷データを読出して該登録者が使用する端末に送信し、該印刷データの前記印刷対象への印刷を可能にする第１の印刷データ提供手段と、
前記登録者以外の要求者の使用する端末から前記印刷データを要求する要求データと前記印刷データ識別情報とを受信したときに、該受信した印刷データ識別情報に関して最新の印刷データ識別情報を前記履歴記録手段から求め、該最新の印刷データ識別情報に対応する印刷データを前記印刷データ保持手段から読出して該要求者の使用する端末に送信する第２の印刷データ提供手段と、
を備えることを特徴とする印刷管理サーバ装置。
【請求項２】
前記第２の印刷データ提供手段は、前記受信した印刷データ識別情報が最新の印刷データ識別情報であるか否かを前記印刷データ履歴記録手段を用いて判断し、最新の印刷データ識別情報でない場合にのみ最新の印刷データ識別情報に対応する印刷データを前記印刷データ保持手段から読出して該要求者の使用する端末に送信することを特徴とする請求項１に記載の印刷管理サーバ装置。
【請求項３】
前記第１の印刷データ提供手段は、前記印刷データと前記印刷データ識別情報と当該印刷管理サーバ装置へアクセスするためのアクセス情報とを前記登録者が使用する端末に送信し、該送信した印刷データと印刷データ識別情報とアクセス情報とを前記印刷対象に印刷させることを特徴とする請求項１又は２に記載の印刷管理サーバ装置。
【請求項４】
前記第２の印刷データ提供手段は、前記印刷データと前記印刷データ識別情報と当該印刷管理サーバ装置へアクセスするためのアクセス情報とを前記要求者が使用する端末に送信し、該送信した印刷データと印刷データ識別情報とアクセス情報とを前記印刷対象に印刷させることを特徴とする請求項１乃至３のいずれか１項に記載の印刷管理サーバ装置。
【請求項５】
登録者の使用する端末から印刷対象への印刷内容を示す印刷データを受信し、該印刷データを識別する印刷データ識別情報を設定し、該印刷データ識別情報及び該印刷データを対応させて保持する印刷データ保持手段と、
前記印刷データの変更部分を示す変更データを、前記登録者が使用する端末から受信するごとに、印刷データが初期値から何度の変更を受けたものであるかを示すための状態識別情報を設定し、該変更データと状態識別情報とを前記印刷データ識別情報に対応させて蓄積する変更データ蓄積手段と、
前記印刷データを要求することを示す要求データが前記登録者が使用する端末から受信したときに、前記変更データ蓄積手段を参照して該印刷データの変更の有無を判定し、変更が無い場合には、前記印刷データ保持手段で保持された印刷データ及び印刷データ識別情報を読出して該登録者の使用する端末に送信し、変更がある場合には、該印刷データ保持手段が保持する前記印刷データを前記変更データ蓄積手段に蓄積された変更データ群で修正して最新の印刷データを作成し、該最新の印刷データと該最新の印刷データに対応する前記状態識別情報とを該登録者が使用する端末に送信する第１の印刷データ提供手段と、
前記印刷データを要求することを示す要求データと前記印刷データ識別情報又は状態識別情報とを前記登録者以外の要求者の使用する端末から受信したときに、前記印刷データ保持手段が保持する印刷データを前記変更データ蓄積手段に蓄積された変更データ群で修正して最新の印刷データを作成し、該最新の印刷データと該最新の印刷データに対応する前記状態識別情報とを該要求者が使用する端末に送信する第２の印刷データ提供手段と、
を備えることを特徴とする印刷管理サーバ装置。
【請求項６】
前記第２の印刷データ提供手段は、前記受信した印刷データ識別情報又は状態識別情報が特定する印刷データがさらに変更されているか否かを前記変更データ蓄積手段を用いて判定し、変更されている場合にのみ、前記印刷データ保持手段が保持する印刷データを前記変更データ蓄積手段に蓄積された変更データ群で修正して最新の印刷データを作成し、該最新の印刷データと該最新の印刷データに対応する前記状態識別情報とを前記要求者が使用する端末に送信することを特徴とする請求項５に記載の印刷管理サーバ装置。
【請求項７】
前記第１の印刷データ提供手段は、前記最新の印刷データと前記印刷データ識別情報又は状態識別情報と当該印刷管理サーバ装置へアクセスするためのアクセス情報とを前記登録者が使用する端末に送信し、該送信した最新の印刷データと該印刷データ識別情報又は状態識別情報と該アクセス情報とを前記印刷対象に印刷させることを特徴とする請求項５又は６に記載の印刷管理サーバ装置。
【請求項８】
前記第２の印刷データ提供手段は、前記最新の印刷データと前記印刷データ識別情報又は状態識別情報と当該印刷管理サーバ装置へアクセスするためのアクセス情報とを前記要求者が使用する端末に送信し、該送信した最新の印刷データと印刷データ識別情報又は状態識別情報と該アクセス情報とを前記印刷対象に印刷させることを特徴とする請求項５乃至７のいずれか１項に記載の印刷管理サーバ装置。
【請求項９】
登録者の使用する端末との通信により、印刷対象へ印刷する内容を示す印刷データの登録と更新とを行う手段と、
前記登録者の使用する端末との通信により、最新の前記印刷データを識別情報を付加して該登録者の使用する端末に印刷可能に送信する手段と、
前記登録者以外の要求者の使用する端末との通信により、該要求者が前記識別情報を示して前記印刷データを要求したときに、該印刷データに関して最新のものがある場合には、該最新の印刷データを該要求者の使用する端末に送信する手段とを備えることを特徴とする印刷管理サーバー装置。
【請求項１０】
前記印刷対象は、再印刷可能なリサイクルペーパーであり、
前記登録者が使用する端末或いは前記要求者が使用する端末は、前記リサイクルペーパーに再印刷を行うプリンタを備えていることを特徴とする請求項１乃至９のいずれか１項に記載の印刷管理サーバ装置。
【請求項１１】
前記印刷対象は、登録者が配布する名刺であることを特徴とする請求項１乃至１０のいずれか１項に記載の印刷管理サーバ装置。
【発明の詳細な説明】
【０００１】
【発明の属する技術分野】
本発明は、名刺等の印刷物の管理を行う印刷管理サーバ装置に関するものである。
【０００２】
【従来の技術】
名刺には、氏名、会社名、勤務先住所、電話番号等の名刺情報が印刷されていて、名刺交換をして互いに相手から名刺を受け取る。このような名刺の名刺情報を、記憶部を持つ特許文献１に記載された電子名刺装置等に記憶させ、名刺の管理を行うこともある。
【０００３】
【特許文献１】
特開平９−３１１８６５号公報
【０００４】
【発明が解決しようとする課題】
紙製の名刺は、保管に適するが、その名刺情報を電子名刺装置等に記憶させて管理する場合には、名刺情報を正確に電子名刺装置等に入力する必要があり、不便であった。また、名刺情報が変更になったときには、その変更内容を何らかの方法で取得し、名刺に記入或いは電子名刺装置に入力しなくてはならなかった。名刺情報が変更になったことを確実に知ることは、きわめて難しい。さらに、不要になった名刺は、屑或いは再生ゴミとなる。資源が再利用できる再生ゴミとして名刺が処分される場合でも、再生ゴミの回収、再生及び裁断に係るコストが高くなり、経済性の面で問題がある。
これに対し、名刺を磁気記憶媒体等で構成する場合もある。この場合には、磁気記憶媒体を専用の読取機で読取ることにより、簡単に名刺情報を電子名刺装置等に入力できる。しかしながら、電子名刺装置に記憶されている名刺情報を読出さなければ、名刺情報を見ることができない。即ち、紙製の名刺に比べて、不便さをユーザに感じさせることが多々あった。
【０００５】
本発明は、利用者に不便さを感じさせないで、名刺等の印刷物の管理が可能な印刷管理サーバ装置を提供することを目的とする。
【０００６】
【課題を解決するための手段】
上記目的を達成するために、本発明の第１の観点に係る印刷管理サーバ装置は、登録者の使用する端末から印刷対象への印刷内容を示す印刷データを受信し、該印刷データを識別する印刷データ識別情報を設定し、該印刷データ識別情報及び該印刷データを対応させて保持する印刷データ保持手段と、前記印刷データ保持手段に保持された印刷データの変更部分を示す変更データを前記登録者の使用する端末から受信するごとに、該変更データに基づき該印刷データ保持手段で保持している印刷データを変更すると共に該印刷データ保持手段で保持している印刷データ識別情報を変更する変更手段と、前記印刷データ識別情報の変更履歴を記録する履歴記録手段と、前記印刷データを要求する要求データが前記登録者の使用する端末から与えられたときに、前記印刷データ保持手段でその時点で保持する前記印刷データを読出して該登録者が使用する端末に送信し、該印刷データの前記印刷対象への印刷を可能にする第１の印刷データ提供手段と、前記登録者以外の要求者の使用する端末から前記印刷データを要求する要求データと前記印刷データ識別情報とを受信したときに、該受信した印刷データ識別情報に関して最新の印刷データ識別情報を前記履歴記録手段から求め、該最新の印刷データ識別情報に対応する印刷データを前記印刷データ保持手段から読出して該要求者の使用する端末に送信する第２の印刷データ提供手段と、を備えることを特徴とする。
【０００７】
このような構成を採用したことにより、印刷データが印刷データ保持手段にって保持される。変更がある場合は、変更データに基づいて保持手段に保持された印刷データが変更される。要求者が印刷データを要求する場合に、その変更された印刷データが、要求者の使用する端末に送信される。
【０００８】
なお、前記第２の印刷データ提供手段は、前記受信した印刷データ識別情報が最新の印刷データ識別情報であるか否かを前記印刷データ履歴記録手段を用いて判断し、最新の印刷データ識別情報でない場合にのみ最新の印刷データ識別情報に対応する印刷データを前記印刷データ保持手段から読出して該要求者の使用する端末に送信するようにしてもよい。
【０００９】
また、前記第１の印刷データ提供手段は、前記印刷データと前記印刷データ識別情報と当該印刷管理サーバ装置へアクセスするためのアクセス情報とを前記登録者が使用する端末に送信し、該送信した印刷データと印刷データ識別情報とアクセス情報とを前記印刷対象に印刷させてもよい。
【００１０】
また、前記第２の印刷データ提供手段は、前記印刷データと前記印刷データ識別情報と当該印刷管理サーバ装置へアクセスするためのアクセス情報とを前記要求者が使用する端末に送信し、該送信した印刷データと印刷データ識別情報とアクセス情報とを前記印刷対象に印刷させてもよい。
【００１１】
上記目的を達成するために、本発明の第２の観点に係る印刷管理サーバ装置は、登録者の使用する端末から印刷対象への印刷内容を示す印刷データを受信し、該印刷データを識別する印刷データ識別情報を設定し、該印刷データ識別情報及び該印刷データを対応させて保持する印刷データ保持手段と、前記印刷データの変更部分を示す変更データを、前記登録者が使用する端末から受信するごとに、印刷データが初期値から何度の変更を受けたものであるかを示すための状態識別情報を設定し、該変更データと状態識別情報とを前記印刷データ識別情報に対応させて蓄積する変更データ蓄積手段と、前記印刷データを要求することを示す要求データが前記登録者が使用する端末から受信したときに、前記変更データ蓄積手段を参照して該印刷データの変更の有無を判定し、変更が無い場合には、前記印刷データ保持手段で保持された印刷データ及び印刷データ識別情報を読出して該登録者の使用する端末に送信し、変更がある場合には、該印刷データ保持手段が保持する前記印刷データを前記変更データ蓄積手段に蓄積された変更データ群で修正して最新の印刷データを作成し、該最新の印刷データと該最新の印刷データに対応する前記状態識別情報とを該登録者が使用する端末に送信する第１の印刷データ提供手段と、前記印刷データを要求することを示す要求データと前記印刷データ識別情報又は状態識別情報とを前記登録者以外の要求者の使用する端末から受信したときに、前記印刷データ保持手段が保持する印刷データを前記変更データ蓄積手段に蓄積された変更データ群で修正して最新の印刷データを作成し、該最新の印刷データと該最新の印刷データに対応する前記状態識別情報とを該要求者が使用する端末に送信する第２の印刷データ提供手段と、を備えることを特徴とする。
【００１２】
このような構成を採用したことにより、登録される印刷データが印刷データ保持手段に保持される。変更があるごとに、変更データが変更データ蓄積手段に蓄積して保持される。変更データ蓄積手段に蓄積された変更データと印刷データ保持手段に保持された印刷データとから、最新の印刷データが作成され、登録者のよう使用する端末、或いは要求書の使用する端末に送信される。
【００１３】
なお、前記第２の印刷データ提供手段は、前記受信した印刷データ識別情報又は状態識別情報が特定する印刷データがさらに変更されているか否かを前記変更データ蓄積手段を用いて判定し、変更されている場合にのみ、前記印刷データ保持手段が保持する印刷データを前記変更データ蓄積手段に蓄積された変更データ群で修正して最新の印刷データを作成し、該最新の印刷データと該最新の印刷データに対応する前記状態識別情報とを前記要求者が使用する端末に送信してもよい。
【００１４】
又、前記第１の印刷データ提供手段は、前記最新の印刷データと前記印刷データ識別情報又は状態識別情報と当該印刷管理サーバ装置へアクセスするためのアクセス情報とを前記登録者が使用する端末に送信し、該送信した最新の印刷データと該印刷データ識別情報又は状態識別情報と該アクセス情報とを前記印刷対象に印刷させてもよい。
【００１５】
又、前記第２の印刷データ提供手段は、前記最新の印刷データと前記印刷データ識別情報又は状態識別情報と当該印刷管理サーバ装置へアクセスするためのアクセス情報とを前記要求者が使用する端末に送信し、該送信した最新の印刷データと印刷データ識別情報又は状態識別情報と該アクセス情報とを前記印刷対象に印刷させてもよい。
【００１６】
上記目的を達成するために、本発明の第３の観点に係る印刷管理サーバ装置は、登録者の使用する端末との通信により、印刷対象へ印刷する内容を示す印刷データの登録と更新とを行う手段と、前記登録者の使用する端末との通信により、最新の前記印刷データを識別情報を付加して該登録者の使用する端末に印刷可能に送信する手段と、前記登録者以外の要求者の使用する端末との通信により、該要求者が前記識別情報を示して前記印刷データを要求したときに、該印刷データに関して最新のものがある場合には、該最新の印刷データを該要求者の使用する端末に送信する手段とを備えることを特徴とする。
【００１７】
なお、本発明の第１〜第３の観点に係る印刷管理サーバ装置において、前記印刷対象は、再印刷可能なリサイクルペーパーであって、前記登録者が使用する端末或いは前記要求者が使用する端末は、前記リサイクルペーパーに再印刷を行うプリンタを備えてもよい。
また、前記印刷対象は、登録者が配布する名刺であってもよい。
【００１８】
【発明の実施の形態】
［第１の実施形態］
図１は、本発明の第１の実施形態に係る印刷管理サーバ装置１０を示す構成図である。図２は、印刷管理サーバ装置１０と端末の関係を示す接続図である。図３は、リサイクルペーパーの構造を示す断面図である。
【００１９】
印刷管理サーバ装置１０は、再印刷可能な図３のリサイクルペーパー６０を用いた名刺の管理を行うものであり、インターネット等のネットワークＮＷを介してデータを送受信する送受信部１１と、ＣＰＵ（Ｃｅｎｔｒａｌ  Ｐｒｏｃｅｓｓｉｎｇ  Ｕｎｉｔ）１２と、メインメモリ１３と、補助メモリ１４と、登録用データベース１５と、認証用データベース１６と、履歴データベース１７とを備え、これらがバス等で接続されている。
【００２０】
ＣＰＵ１２は、メインメモリ１３に記録されているソフトウエアに基づき動作し、名刺に印刷するための印刷データに対する各種処理を行う。補助メモリ１４は、一時的にデータを格納するものである。登録用データベース１５は、ＣＰＵ１２と相俟って印刷データ保持手段を構成し、逐次更新される印刷データと、印刷データを識別するための印刷データ識別情報とを登録する。認証用データベース１６は、登録者を認証するための認証用のデータを格納するものである。履歴データベース１７は、ＣＰＵ１２と相俟って履歴記録手段を構成し、印刷データの更新履歴を記録するものである。
【００２１】
ネットワークＮＷには、図２のように、利用者が使用する複数の端末２０、端末３０、端末４０が接続される。端末２０〜４０は、通信機能を備えていれば、一般的なパーソナルコンピュータで構成することができる。端末２０，３０は、利用者が所有するものである。端末４０は、例えばコンビニエンスストアに載置され、不特定多数の利用者が共同で使用する。端末２０〜４０には、リサイクルペーパー６０に再印刷が可能なプリンタ２１，３１，４１がそれぞれ接続されている。端末２０〜４０は、印刷管理サーバ装置１０から与えられた画像データに基づき、プリンタ２１，３１，４１を駆動して、リサイクルペーパー６０に再印刷をする。
【００２２】
図３のリサイクルぺーパー６０は、背面がバック層６１で覆われた紙６２と、紙の表面に形成された書換層６３と、書換層６３の表面を覆う保護層６４とで構成されている。書換層６３には、ロイコ塗料と顕色剤とが塗布されている。リサイクルペーパー６０を約１８０°Ｃに加熱して急冷することにより、顕色剤及びロイコ塗料及び顕色剤が発色し、データの印刷ができる。印刷されたリサイクルペーパー６０を、１２０°Ｃ〜１６０°Ｃに熱すると、顕色剤及びロイコ塗料が無色に退色し、印刷が消去される。プリンタ２１，３１，４１は、図示しない印刷消去用の加熱ローラと、印字用サーマルヘッドとを備え、リサイクルペーパー６０に再印刷する。
【００２３】
次に、印刷管理サーバ装置１０による名刺の管理方法を、図４〜図９を参照しつつ、説明する。図４及び図５は、印刷管理サーバ装置が行う処理を示すフローチャートである。図６は、認証用データベースの記憶内容を示す説明図である。図７は、登録用データベースの記憶内容を示す説明図である。図８は、履歴データベース１７の記憶内容を示す説明図である。図９は、印刷された名刺を示す図である。
【００２４】
印刷管理サーバ装置１０中のＣＰＵ１２は、電源オフの指示がない場合に（図４のステップＳＴ１０：ＮＯ）、ステップＳＴ１１において、端末２０〜４０からのアクセスを待っている。電源オフの指示があれば（ステップＳＴ１０：ＹＥＳ）、電源をオフして全ての処理を終了する。
名刺を新規に作成する利用者は、印刷管理サーバ装置１０にアクセスし、印刷内容を示す印刷データを登録する。ここでは、印刷データを印刷管理サーバ装置１０に登録する利用者を登録者Ａとする。また、登録者Ａが用いる端末を、登録者Ａが所有する端末２０とする。
【００２５】
登録者Ａは、端末２０を用いて印刷管理サーバ装置１０にアクセスし、端末２０と印刷管理サーバ装置１０との間の通信を確立する。ＣＰＵ１２は、アクセスがあったと判断した（ステップＳＴ１１：ＹＥＳ）場合には、端末２０との交信により、登録者Ａが印刷データを登録するのか否かを判断する（ステップＳＴ１２）。
【００２６】
登録者Ａが印刷データを登録すると判断した場合（ステップＳＴ１２：ＹＥＳ）、ＣＰＵ１２は、認証用データベース１６の記憶内容により、登録者Ａの認証を行う（ステップＳＴ１３）。認証用データベース１６には、図６のように、利用者ごとに、各利用者を特定するための利用者認証情報７１が対応して記憶されている。ＣＰＵ１２は登録者Ａに利用者認証情報７１を送信させ、その利用者認証情報７１が認証用データベース１６に格納されているか否かで、登録者Ａを認証する。ＣＰＵ１２は、登録者Ａのための利用者認証情報７１が認証用データベース１６に記憶されていないときには、登録者Ａとの交信により、新たに、登録者Ａを識別するための利用者認証情報７１を設定し、認証用データベース１６に記憶させる。
【００２７】
登録者Ａの認証或いは利用者認証情報７１の新たな設定が終了した後、登録者Ａは、端末２０を用いて図７に示すような印刷データ７３を入力する。印刷データ７３としては、名刺に印刷する固有名詞、会社名、住所、電話番号等の書誌事項ばかりでなく、字体、レイアウト等のデザイン関するデータ等が含まれてもよい。さらに、印刷データ７３には、ロゴや模様等を含めてもよい。ＣＰＵ１２は、それらの印刷データ７３を受信する（ステップＳＴ１４）。
【００２８】
ＣＰＵ１２は、受信した印刷データ７３を特定するための印刷データ識別情報７２を設定し、登録用データベース１５に、利用者認証情報７１と、印刷データ識別情報７２と印刷データ７３とを対応づけて記憶させる（ステップＳＴ１５）。ＣＰＵ１２は、登録用データベース１５に記憶させた印刷データ識別情報７２と印刷データ７３とを端末２０に送信して登録者Ａに、間違いがないことを確認し、登録者Ａに、印刷管理サーバ装置１０との通信を終了させる（ステップＳＴ１６）。
【００２９】
登録者Ａが、印刷データ７３の変更、即ち、印刷データ７３の更新をする場合がある。印刷データ７３を変更する登録者Ａは、端末２０と印刷管理サーバ装置１０との通信を開設した後、端末２０を用いて印刷データ７３を変更することを示す情報を印刷管理サーバ装置１０に送信する。この場合、ＣＰＵ１２は、ステップＳＴ１２で、印刷データ７３の登録ではないと判断し（ステップＳＴ１２：ＮＯ）、ステップＳＴ２０で印刷データ７３の変更か否かを判断する。
【００３０】
印刷データ７３の変更であると判断した場合（ステップＳＴ２０：ＹＥＳ）、ＣＰＵ１２は、登録者Ａとの交信により、認証用データベース１６の記録内容に基づいて、登録者Ａの認証を行う（ステップＳＴ２１）。登録者Ａの認証が終了したＣＰＵ１２は、交信により、登録者Ａに印刷データ７３の変更部分を示す変更データと、変更対象の印刷データ７３に設定されている印刷データ識別情報７２とを入力させる。変更データ及び印刷データ識別情報７２は、端末２０を介して印刷管理サーバ装置１０に送信される。ＣＰＵ１２は、これらの変更データ及び印刷データ識別情報７２を受信する（ステップＳＴ２２）。
【００３１】
ＣＰＵ１２は、受信した印刷データ識別情報７２に対応する印刷データ７３を登録用データベース１５から１４に読出し、印刷データ７３を変更データに基づいて変更する（ステップＳＴ２３）。ＣＰＵ１２は、変更された印刷データ７３に新たな印刷データ識別情報７２を設定し、これらの変更された印刷データ７３と新たな印刷データ識別情報７２とで、登録用データベース１５中の元の印刷データ７３及び印刷データ識別情報７２を書換える（ステップＳＴ２４）。
【００３２】
そして、ＣＰＵ１２は、新たな印刷データ識別情報７２を履歴データベース１７に登録する（ステップＳＴ２５）。履歴データベース７２には、最初に登録用データベース１５に登録された印刷データ識別情報７２に対応して、変更の際に新たに設定された印刷データ識別情報７２が、例えば図７のように、変更の順位にしたがって書込まれる。なお、この新たに設定された印刷データ識別情報７２は、変更の日時を付して書き込まれてもよい。
【００３３】
ＣＰＵ１２は、登録用データベース１５に記憶させた新たな印刷データを端末２０に送信して登録者Ａに間違いがないこと確認させ、登録者Ａは、印刷管理サーバ装置１０との通信を終了する（ステップＳＴ２６）。
【００３４】
登録者Ａは、任意のタイミングで、図９のような名刺をリサイクルペーパー６０に印刷する。
印刷データ７３の印刷を行う場合、登録者Ａは、端末２０と印刷管理サーバ装置１０との通信を開設した後、端末２０により、印刷データ７３を要求する要求データを印刷管理サーバ装置１０に送信する。この場合、ＣＰＵ１２は、ステップＳＴ１２で、前述の印刷データの登録ではないと判断し（ステップＳＴ１２：ＮＯ）、ステップＳＴ２０で印刷データの変更でないと判断する。そして、ＣＰＵ１２は、ステップＳＴ３０で登録者による印刷が行われるか否かを判断する。
【００３５】
登録者Ａによる印刷が行われると判断した（ステップＳＴ３０：ＹＥＳ）した場合、ＣＰＵ１２は、登録者Ａを特定する利用者認証情報７１の入力を、端末２０を介して促す。登録者Ａは、登録者Ａに設定されている利用者認証情報７１を端末２０に入力する。
【００３６】
ＣＰＵ１２は、端末２０との交信により、利用者認証情報７１を受信し、認証データベース１６の記録内容に基づいて登録者Ａの認証を行う（ステップＳＴ３１）。登録者Ａの認証が終了したＣＰＵ１２は、登録者Ａに印刷を行う印刷データ７３を特定する印刷データ識別情報７２の入力を促す。登録者Ａは、最新の名刺の印刷データ識別情報７２を端末２０に入力し、端末２０が印刷管理サーバ装置１０に印刷データ識別情報７２を送信する。ＣＰＵ１２は、印刷データ識別情報７２を受信し（ステップＳＴ３２）、印刷データ識別情報７２を用いて登録用データベース１５を検索し、その印刷データ識別情報７２に対応する印刷データ７３を補助メモリ１４に読出す（ステップＳＴ３３）。
【００３７】
ＣＰＵ１２は、補助メモリ１４上の印刷データを編集し、印刷データに対応する画像データを作成する。画像データは、印刷データ７３の示す内容と、印刷管理サーバ装置１０へのアクセス方法となるＵＲＬ（Ｕｎｉｆｏｒｍ  Ｒｅｓｏｕｒｃｅ  Ｌｏｃａｔｏｒ）７５と、印刷データ識別情報７２とを、リサイクルペーパー６０等に印刷するデータである。
【００３８】
ＣＰＵ１２は、印刷データ７３の内容を含む画像データを端末２０に送信する（ステップＳＴ３４）。画像データの送信が正常に行われたことが確認された後、ＣＰＵ１２は、端末２０との通信を終了する（ステップＳＴ３５）。
【００３９】
なお、端末２０が、印刷データから画像データを作成する機能を持つ場合には、印刷データ７３等をそのままＣＰＵ１２から端末２０に送信してもよい。
登録者Ａは、プリンタ２１にリサイクルペーパー６０をセットする。端末２０は、ＣＰＵ１２から受信した画像データに基づき、プリンタ２１を駆動する。端末２０が画像データを作成する機能を有する場合には、ＣＰＵ１２から与えられた印刷データ７３等を、端末２０が編集して画像データを生成し、その画像データでプリンタ２１を駆動する。
【００４０】
プリンタ２１は、リサイクルベーパー６０を１２０℃から１６０℃に加熱して、それまでに印刷されていた内容を消去する工程と、画像データに基づいた位置を１８０℃に加熱する工程とを行う。これにより、印刷データ７３と、ＵＲＬ７５と、印刷データ識別情報７２とが、図９のように、リサイクルペーパー６０に印刷される。
【００４１】
以上のようにして、登録者Ａは、登録した印刷データに対応する名刺が必要枚数印刷できる。
登録者Ａは、任意の相手と名刺を交換する。即ち、自分の名刺を交換相手に渡し、交換相手から名刺を受け取る。登録者Ａ及び交換相手は、受け取った名刺を保管する。
【００４２】
長期に保管された名刺は、名刺に印刷されたデータが陳腐化していることがある。例えば、名刺に印刷されている勤務先住所や電話番号等が変更されている可能性がある。このような場合でも、印刷管理サーバ装置１０を用いることにより、最新の名刺を印刷することができる。登録者Ａと名刺交換をした要求者Ｂが、登録者Ａの最新の名刺を要求する場合を例に取って、印刷管理サーバ装置１０の動作を説明する。なお、要求者Ｂは、プリンタ３１を備えた端末３０を所有しているものとする。プリンタ３１は、リサイクルペーパー６０の再印刷が可能である。
【００４３】
要求者Ｂは、端末３０と印刷管理サーバ装置１０との通信を開設した後、端末端末３０により、最新の印刷データ７３を要求する要求データを印刷管理サーバ装置１０に送信する。この場合、ＣＰＵ１２は、ステップＳＴ１２で、前述の印刷データ７３の登録ではないと判断し（ステップＳＴ１２：ＮＯ）、ステップＳＴ２０で印刷データ７３の変更でないと判断し、ステップＳＴ３０で登録者による印刷でないと判断し（ステップＳＴ３０：ＮＯ）する。そして、ステップＳＴ４０で、名刺交換相手の要求者Ｂによる印刷が行われるか否かを判断する。
【００４４】
要求者Ｂによる印刷が行われると判断した（ステップＳＴ４０：ＹＥＳ）ＣＰＵ１２は、端末３０との通信により、要求者Ｂに対して、印刷を希望する名刺を特定するための印刷データ識別情報７２の入力を促す（ステップＳＴ４１）。
要求者Ｂは、登録者Ａから受け取っている名刺に印刷されている印刷データ識別情報７２を端末３０に入力する。端末３０が印刷管理サーバ装置１０に印刷データ識別情報７２を送信する。
【００４５】
ＣＰＵ１２は、印刷データ識別情報７２を受信し（ステップＳＴ４２）、印刷データ識別情報７２を用いて履歴データベース１７を検索し、登録者Ａの名刺に関して、端末３０から与えられた印刷データ識別情報７２よりも新しい印刷データ識別情報７２があれば、最近に設定された印刷データ識別情報７２を履歴データベース１７から読出して補助メモリ１４に書込む。端末３０から与えられた印刷データ識別情報７２よりも新しい印刷データ識別情報７２がなければ、端末３０から与えられた印刷データ識別情報７２を補助メモリ１４に書込む。
【００４６】
ＣＰＵ１２は、補助メモリ１４に書込まれている印刷データ識別情報７２を用いて登録用データベース１５を検索し、その印刷データ識別情報７２に対応する印刷データ７３を読出して補助メモリ１４に書込む（ステップＳＴ４３）。
【００４７】
ＣＰＵ１２は、補助メモリ１４上の印刷データ７３を編集し、印刷データ７３に対応する画像データを作成する。画像データは、印刷データ７３の示す内容と、印刷管理サーバ装置１０へのアクセス方法となるＵＲＬ７５と印刷データ識別情報７２とが、リサイクルペーパー６０等に印刷されるデータである。ＣＰＵ１２は、印刷データ７３の内容を含む画像データを端末３０に送信する（ステップＳＴ４４）。画像データの送信が正常に行われたことが確認された後、ＣＰＵ１２は、端末３０との通信を終了する（ステップＳＴ４５）。
【００４８】
なお、端末３０に、印刷データ７３から画像データを作成する機能を持つ場合には、印刷データ７３をそのままＣＰＵ１２から端末３０に送信してもよい。
要求者Ｂは、ＣＰＵ１２から与えられた画像データを図示しないディスプレイ等に表示すると、最新の名刺と、要求者Ｂが持っている名刺との差異が判断できる。名刺の印刷が必要な場合には、要求者Ｂは、プリンタ３１にリサイクルペーパー６０をセットする。
【００４９】
端末３０は、要求者Ｂの指示に応答して、ＣＰＵ１２から受信した画像データに基づいてプリンタ３１を駆動する。端末３０が画像データを作成する機能を有する場合には、ＣＰＵ１２から与えられ印刷データ７３を、端末３０が編修して画像データを生成し、その画像データでプリンタ３１を駆動する。
【００５０】
プリンタ３１は、リサイクルベーパー６０を１２０℃から１６０℃に加熱して、それまでに印刷されていた内容を消去する工程と、画像データに基づいた位置を１８０℃に加熱する工程とを行う。これにより、登録者Ａの最新の名刺の印刷データと、ＵＲＬと、印刷データ識別情報７２とが、リサイクルペーパー６０に印刷される。リサイクルペーパー６０は、例えば、登録者Ａの古くなった名刺でもよい。要求者Ｂは、登録者Ａの最新の名刺を印刷して保管できる。
【００５１】
登録者Ａが、端末２０と印刷管理サーバ装置１０との通信を確立し、これまで説明した以外の他の目的で印刷管理サーバ装置１０を利用する場合には、ＣＰＵ１２は端末２０との交信により、ステップＳＴ４０で要求者による印刷が行われないと判断し（ステップＳＴ４０：ＮＯ）、その他の目的に対応する処理を行う（ステップＳＴ５０）。
【００５２】
以上のように、本実施形態の印刷管理サーバ装置１０によれば、次のような利点を有する。
（１）  登録者Ａの名刺の印刷データ７３が、印刷管理サーバ装置１０に登録されるので、登録者Ａがいつでも必要なだけ名刺を印刷できるので、必要以上の名刺を持つ必要がない。
【００５３】
（２）  リサイクルペーパー６０に印刷するので、不要になった名刺等を利用して印刷できるので、紙資源の有効活用ができる。
（３）  印刷管理サーバ装置１０が登録者Ａの名刺の最新の印刷内容を実質的に保持しているので、要求者Ｂが最新の名刺を印刷して保管できる。
【００５４】
（４）  名刺に、ＵＲＬ及び印刷データ識別情報を印刷するので、要求者Ｂが、容易に印刷管理サーバ装置１０へアクセスできると共に、照合のために印刷内容を入力する手間が省ける。また、誤った入力を避けることができる。
（５）  印刷管理サーバ装置１０が登録者Ａの名刺の印刷内容を実質的に保持しているので、要求者Ｂの使用する端末３０に専用のソフトウエアをセットし、名刺の情報を入力しなくても、名刺の管理が可能である。即ち、利用者に不便さを感じさせない。
【００５５】
［第２の実施形態］
図１０は、本発明の第２の実施形態に係る印刷管理サーバ装置を示す構成図である。図１１は、利用者が使用する端末と印刷管理サーバ装置の関係を示す説明図である。図１２は、初期値用データベースの記憶内容を示す説明図である。
【００５６】
印刷管理サーバ装置８０は、第１の実施形態で説明したリサイクルペーパー６０等を用いた名刺の管理を行うものであり、ネットワークＮＷを介してデータを送受信する送受信部８１と、ＣＰＵ８２と、メインメモリ８３と、補助メモリ８４と、初期値用データベース８５と、認証用データベース８６と、変更用データベース８７とを備え、これらがバス等で接続されている。印刷管理サーバ装置８０は、第１の実施形態の印刷管理サーバ装置１０と同様に、ネットワークＮＷに接続されている。ネットワークＮＷには、利用者が所有する端末２０，３０や、コンビニエンスストア等に載置された共用の端末４０が接続されている。端末２０，３０，４０には、リサイクルペーパー６０に再印刷可能なプリンタプリンタ２１，３１，４１がそれぞれ接続されている。
【００５７】
ＣＰＵ８２は、メインメモリ８３に記録されているソフトウエアに基づき動作し、名刺に印刷するための各種処理を行う。補助メモリ８４は、第１の実施形態の補助メモリ１４と同様のものである。初期値データベース８５は、第１の実施形態の登録用データベース１５とは異なり、図１２のように、任意の登録者が最初に登録した名刺の印刷データ７３を格納するものであり、その印刷データ７３と印刷データ７３に付された印刷データ識別情報７３と利用者識別情報７１とが、対応して格納される。
【００５８】
認証用データベース８６は、第１の実施形態の認証用データベース１６と同様のものである。変更用データベース８７は、ＣＰＵ８２と相まって、変更データ蓄積手段を構成するものであり、印刷データの変更する部分を示す変更データを、変更の順序と対応させて蓄積して記憶するものである。
【００５９】
次に、図１０〜図１５と、第１の実施形態で用いた図３、図６〜図８を参照して、印刷管理サーバ装置８０の動作を説明する。
図１３，１４は、印刷管理サーバ装置８０の処理を示すフローチャートである。図１５は、変更用データベースの記憶内容を示す説明図である。
印刷管理サーバ装置８０中のＣＰＵ８２は、電源オフの指示ない場合（ステップＳＴ６０：ＮＯ）には、図１４のステップＳＴ６１において、端末２０〜４０或いはプリンタシステム５０からのアクセスを待っている。電源オフの指示があったとき（ステップＳＴ６０：ＹＥＳ）には、電源をオフして全ての処理を終了する。
【００６０】
名刺を新規に作成する利用者は、印刷管理サーバ装置８０にアクセスし、印刷内容を示す印刷データ７３を登録する。ここで、第１の実施形態と同様に、印刷データ７３を印刷管理サーバ装置８０に登録する利用者を登録者Ａとする。また、登録者Ａが用いる端末を、登録者Ａが所有する端末２０とする。
【００６１】
登録者Ａは、端末２０を用いて印刷管理サーバ装置８０にアクセスし、端末２０と印刷管理サーバ装置８０との間の通信を確立する。ＣＰＵ８２は、アクセスがあったと判断した場合（ステップＳＴ６１：ＹＥＳ）、端末２０との交信により、登録者Ａが印刷データ７３を登録するのか否かを判断する（ステップＳＴ６２）。
【００６２】
登録者Ａが印刷データ７３を登録すると判断した場合（ステップＳＴ６２：ＹＥＳ）、第１の実施形態のステップＳＴ１３〜ステップＳＴ１６と同様のステップＳＴ６３〜ステップＳＴ６６を行う。ステップＳＴ６３〜ステップＳＴ６６により、登録者Ａが認証されるか、登録者Ａが未登録の場合には、登録者Ａに利用者認証情報７１が設定される。そして、登録者Ａが登録するために端末２０に入力した印刷データ７３に対して、印刷データ識別情報７２が設定され、利用者認証情報７１と印刷データ識別情報７２と印刷データ７３とが、図１２のように対応して初期値用データベース８５に書込まれる。この印刷データ７３が初期値となる。
【００６３】
印刷データ７３の変更をする場合、登録者Ａは端末２０と印刷管理サーバ装置８０との通信を開設した後、端末２０を用いて印刷データ７３を変更することを示す情報を印刷管理サーバ装置８０に送信する。ＣＰＵ８２は、ステップＳＴ６２で、印刷データ７３の登録ではないと判断し（ステップＳＴ６２：ＮＯ）、ステップＳＴ７０で印刷データ７３の変更か否かを判断する。
【００６４】
印刷データの変更であると判断した場合（ステップＳＴ７０：ＹＥＳ）、ＣＰＵ８２は、登録者Ａとの交信により、認証用データベース８６の記録内容に基づいて、登録者Ａの認証を行う（ステップＳＴ７１）。登録者Ａの認証が終了したＣＰＵ８２は、端末端末２０との交信により、登録者Ａに印刷データ７３を変更部分を示す変更データ７６と、変更前の印刷データ７３に設定されている識別情報とを入力させる。印刷データ７３の変更が初回の場合、登録者Ａは、印刷データ識別情報７２と変更データ７６とを端末２０に入力する。印刷データ７３に対する変更が初回ではない場合には、登録者Ａは、後述する変更順位判別情報７７と変更データ７６とを、端末２０に入力する。
印刷データ識別情報７２或いは変更順位判別情報７７と変更データ７６とは、端末２０を介して印刷管理サーバ装置８０に送信される。ＣＰＵ８２は、これらの印刷データ識別情報７２或いは変更順位判別情報７７と変更データ７６とを受信する（ステップＳＴ７２）。
【００６５】
ＣＰＵ８２は、受信した変更データ７６を識別するための変更順位判別情報７７を設定し、変更用データベース８７に、受信した変更データ７６と設定した変更順位判別情報７７と印刷データ識別情報７２とを、図１５のように、対応させて格納する（ステップＳＴ７３）。
【００６６】
変更用データベース８７は、１つの印刷データ識別情報７２に対して、複数の組の変更データ７６と変更順位判別情報７７とが、格納されるようになっており、印刷データ７３の変更データ７６があるごとに、変更用データベース８７には変更データ７６及び変更順位判別情報７７が蓄積して格納される。印刷データ識別情報７２は、変更がない印刷データ７３に対して付されたものである。変更順位判別情報７７は、印刷データ７３の変更があるごとに設定される情報である。よって、印刷データ識別情報７２と変更順位判別情報７７とにより、印刷データ７３が何回変更が施されたかが判る。
【００６７】
ＣＰＵ８２は、変更用データベース８７に格納した変更データ７６と変更順位判別情報７７を端末２０に送信して登録者Ａに確認させ、登録者Ａの端末端末２０との通信を終了する（ステップＳＴ７４）。
【００６８】
登録者Ａが、名刺の印刷を行う場合、端末２０と印刷管理サーバ装置８０との通信を開設した後、端末２０により、最新の印刷データを要求する要求データを印刷管理サーバ装置８０に送信する。この場合、ＣＰＵ８２は、ステップＳＴ６２で、前述の印刷データの登録ではないと判断し（ステップＳＴ６２：ＮＯ）、ステップＳＴ７０で印刷データの変更でないと判断する（ステップＳＴ７０：ＮＯ）。そして、ステップＳＴ８０で登録者による印刷が行われるか否かを判断する。
【００６９】
登録者Ａによる印刷が行われると判断した（ステップＳＴ８０：ＹＥＳ）した場合、ＣＰＵ８２は、登録者Ａを特定する利用者認証情報７１の入力を促す。登録者Ａは、登録者Ａに設定されている利用者認証情報７１を端末２０に入力する。
【００７０】
ＣＰＵ８２は、利用者認証情報７１を受信し、認証データベース８６の記録内容に基づいて登録者Ａの認証を行う（ステップＳＴ８１）。登録者Ａの認証が終了したＣＰＵ８２は、端末２０との交信により、登録者Ａに印刷データ識別情報７２又は変更順位判別情報７７の入力を促す。登録者Ａは、印刷データ識別情報７２又は変更順位判別情報７７を端末２０に入力し、端末２０が印刷管理サーバ装置８０に印刷データ識別情報７２又は変更順位判別情報７７を送信する。
【００７１】
ＣＰＵ８２は、印刷データ識別情報７２又は変更順位判別情報７７を受信する（ステップＳＴ８２）。ＣＰＵ８２は、印刷データ識別情報７２又は変更順位判別情報７７を用いて変更用データベース８７を検索し、登録者Ａが印刷すべき印刷データ７３を特定し、その印刷データ７３の初期値を初期値用データベース８５から補助メモリ８４に読出し、その印刷データ７３の変更事項を示す変更データ７６を全て変更用データベース８７から補助メモリ８４に読出す。
【００７２】
ＣＰＵ８２は、補助メモリ８４に読出された印刷データ７３の初期値と変更データ７６とを用いて、最新の印刷データ７３を作成し（ステップＳＴ８３）、最新の印刷データ７３を反映すると共に、印刷管理サーバ装置８０へのアクセス方法となるＵＲＬ７５と、最終的に付された変更順位判別情報７７とを含む画像データを生成する。最新の印刷データ７３がそれまでに一度も変更されていない場合には、変更順位判別情報７７の変わりに、初期値の印刷データに対応する印刷データ識別情報７２を画像データに含むようにする。
【００７３】
ＣＰＵ８２は、画像データを端末２０に送信する（ステップＳＴ８４）。印刷データの送信が正常に行われたことが確認された後、ＣＰＵ８２は、端末２０との通信を終了する（ステップＳＴ８５）。
【００７４】
なお、端末２０が、印刷データ７３から画像データを作成する機能を持つ場合には、最新の印刷データ７３等をそのままＣＰＵ８２から端末２０に送信してもよい。
登録者Ａは、プリンタ２１にリサイクルペーパー６０をセットする。端末２０は、ＣＰＵ８２から受信した画像データに基づき、プリンタ２１を駆動する。端末２０が画像データを作成する機能を有する場合には、ＣＰＵ８２から与えられた印刷データ７３を、端末２０が編修して画像データを生成し、その画像データでプリンタ２１を駆動する。
【００７５】
以上のようにして、登録者Ａは、登録した印刷データ或いは変更した印刷データに対応する名刺が必要枚数印刷できる。
登録者Ａと名刺交換をした要求者Ｂが、登録者Ａの最新の名刺を要求する場合の印刷管理サーバ装置８０の動作を説明する。なお、要求者Ｂは、第１の実施形態と同様に、プリンタ３１を備えた端末３０を所有しているものとする。
【００７６】
要求者Ｂは、端末３０と印刷管理サーバ装置８０との通信を開設した後、端末端末３０により、最新の印刷データ７３を要求する要求データを印刷管理サーバ装置１０に送信する。この場合、ＣＰＵ８２は、ステップＳＴ６２で、前述の印刷データの登録ではないと判断し（ステップＳＴ６２：ＮＯ）、ステップＳＴ７０で印刷データの変更でないと判断し（ステップＳＴ７０：ＮＯ）、ステップＳＴ８０で登録者による印刷でないと判断し（ステップＳＴ８１：ＮＯ）する。そして、ステップＳＴ９０で、名刺交換相手の要求者Ｂによる印刷が行われるか否かを判断する。
【００７７】
要求者Ｂによる印刷が行われると判断した（ステップＳＴ９０：ＹＥＳ）ＣＰＵ１２は、端末３０との通信により、要求者Ｂに対して、印刷を希望する名刺を特定するための印刷データ識別情報７２又は変更順位判別情報７７の入力を促す（ステップＳＴ９１）。要求者Ｂには、印刷データ識別情報７２又は変更順位判別情報７７が印刷された登録者Ａの名刺が渡っている。印刷データ識別情報７２が印刷された名刺は、印刷内容が変更されていない名刺である。変更順位判別情報７７が印刷された名刺は、印刷内容が変更された名刺である。換言すれば、印刷データ識別情報７２及び変更順位判別情報７７は、変更の順位を示す順位データとなる。
【００７８】
要求者Ｂは、その名刺に印刷された印刷データ識別情報７２又は変更順位判別情報７７を端末３０に入力する。端末３０が印刷管理サーバ装置８０に印刷データ識別情報７２又は変更順位判別情報７７を送信する。ＣＰＵ８２は、印刷データ識別情報７２又は変更順位判別情報７７を受信（ステップＳＴ９２）する。
【００７９】
ＣＰＵ８２は、印刷データ識別情報７２又は変更順位判別情報７７を用いて変更用データベース８７を検索し、要求者Ｂが印刷すべき印刷データ７３を特定し、その印刷データの初期値７３を初期値用データベース８５から補助メモリ８４に読出し、その印刷データ７３に関する変更事項を示す変更データ７６を全て変更用データベース８７から補助メモリ８４に読出す。ＣＰＵ８２は、補助メモリ８４に読出された印刷データ７３の初期値と変更データ７６とを用いて、最新の印刷データ７３を求め、最新の印刷データ７３を反映すると共に、印刷管理サーバ装置８０へのアクセス方法となるＵＲＬ７５と、最終の変更順位判別情報７７とを含む画像データを生成する。最新の印刷データ７３がそれまでに一度も変更されていない場合には、変更順位判別情報７７の変わりに、初期値の印刷データ７３に対応する印刷データ識別情報７２を画像データに含むようにする。
【００８０】
ＣＰＵ８２、画像データを端末３０に送信する（ステップＳＴ９４）。画像データの送信が正常に行われたことが確認された後、ＣＰＵ８２は、端末３０との通信を終了する（ステップＳＴ９５）。
【００８１】
なお、端末３０に、印刷データから画像データを作成する機能を持つ場合には、印刷データをそのままＣＰＵ８２から端末３０に送信してもよい。
要求者Ｂは、ＣＰＵ８２から与えられた画像データを図示しないディスプレイ等に表示すると、最新の名刺と、要求者Ｂが持っている名刺との差異が判断できる。名刺の印刷が必要な場合には、要求者Ｂは、プリンタ３１にリサイクルペーパー６０をセットする。
【００８２】
端末３０は、要求者Ｂの指示に応答して、ＣＰＵ８２から受信した画像データに基づいてプリンタ３１を駆動する。端末３０が画像データを作成する機能を有する場合には、ＣＰＵ８２から与えられ印刷データを、端末３０が編修して画像データを生成し、その画像データでプリンタ３１を駆動する。
【００８３】
これにより、登録者Ａの最新の名刺の印刷データ７３と、ＵＲＬ７５と、印刷データ識別情報７２又は変更順位判別報とが、リサイクルペーパー６０に印刷される。このようにして、要求者Ｂは、登録者Ａの最新の名刺を印刷して保管できる。
【００８４】
登録者Ａが、端末２０と印刷管理サーバ装置８０との通信を確立し、これまで説明した以外の他の目的で印刷管理サーバ装置８０を利用する場合には、ＣＰＵ８２は端末２０との交信により、ステップＳＴ９０で要求者による印刷が行われないと判断し（ステップＳＴ９０：ＮＯ）、第１の実施形態と同様に、その他の目的に対応する処理を行う（ステップＳＴ５０）。
【００８５】
以上のような本実施形態では、第１の実施形態と同様の（１）〜（５）の利点を有するとともに、変更データが変更用データベース８７に蓄積的に格納されているので、最新の印刷データ７３ばかりでなく、最新の印刷データ７３になるまでの任意の印刷データ７３を再現することも可能になる。
【００８６】
なお、本発明は、上記実施形態に限定されず、種々の変形が可能である。その変形例としては、次のようなものがある。
（ａ）  上記第１及び第２の実施形態では、リサイクルペーパー６０に名刺を印刷する場合を示したが、他の一般の紙を印刷対象として、その一般の紙に印刷するようにしてもよい。
【００８７】
（ｂ）  登録者Ａ及び要求者Ｂは、所有する端末２０，３０及びプリンタ２１，３１により、リサイクルペーパー６０に印刷したが、これに限定されるものではない。例えばコンビニエンスストア等に載置され、不特定多数の利用者が使用する端末及びプリンタを用いてもよい。このようにすると、リサイクルペーパー６０に再印刷可能なプリンタを所有する必要がなくなる。
【００８８】
（ｃ）  リサイクルペーパー６０には、名刺を以外の任意の印刷内容を印刷するようにしてもよい。
（ｄ）  第１及び第２の実施形態において、要求者Ｂから与えられた印刷データ識別情報又は変更順位判別情報が最新の印刷データを指す場合には、画像データを端末３０に送信せず、ＣＰＵ１２，８２は、要求者Ｂの持つ名刺が最新のものであることを示すメッセージを送るようにしてもよい。
【００８９】
【発明の効果】
以上詳細に説明したように、本発明によれば、印刷内容が変化しても、新たな印刷内容を印刷できる利便性の高い印刷管理サーバ装置を実現できる。
【図面の簡単な説明】
【図１】本発明の第１の実施形態に係る印刷管理サーバ装置１０を示す構成図である。
【図２】印刷管理サーバ装置と端末の関係を示す接続図である。
【図３】リサイクルペーパの構成を示す断面図である。
【図４】印刷管理サーバ装置が行う処理を示すフローチャートである。
【図５】印刷管理サーバ装置が行う処理を示すフローチャートである。
【図６】認証用データベースの記憶内容を示す説明図である。
【図７】登録用データベースの記憶内容を示す説明図である。
【図８】履歴データベース１７の記憶内容を示す説明図である。
【図９】印刷された名刺を示す説明図である。
【図１０】本発明の第２の実施形態に係る印刷管理サーバ装置を示す構成図である。
【図１１】印刷管理サーバ装置と端末の関係を示す接続図である。
【図１２】初期値データベースの記録内容を示す説明図である。
【図１３】印刷管理サーバ装置の行う処理を示すフローチャートである。
【図１４】印刷管理サーバ装置の行う処理を示すフローチャートである。
【図１５】変更用データベースの記録内容を示す説明図である。
【符号の説明】
１０，８０            印刷管理サーバ装置
１１，８１            送受信部
１２，８２            ＣＰＵ
１５                  登録用データベース
１６，８６            認証用データベース
１７                  履歴データベース
２０，３０，４０      端末
２１，３１，４１      プリンタ
８５                  初期値用データベース
８７                  変更用データベース
７２                  印刷データ識別情報
７３                  印刷データ
７５                  ＵＲＬ
７６                  変更データ
７７                  変更順位判別情報
８７                  変更用データベース
【図１】
2004276534.tif 000003
【図２】
2004276534.tif 000004
【図３】
2004276534.tif 000005
【図４】
2004276534.tif 000006
【図５】
2004276534.tif 000007
【図６】
2004276534.tif 000008
【図７】
2004276534.tif 000009
【図８】
2004276534.tif 000010
【図９】
2004276534.tif 000011
【図１０】
2004276534.tif 000012
【図１１】
2004276534.tif 000013
【図１２】
2004276534.tif 000014
【図１３】
2004276534.tif 000015
【図１４】
2004276534.tif 000016
【図１５】
2004276534.tif 000017